【手続補正書】
【提出日】平成20年4月23日(2008.4.23)
【手続補正１】
【補正対象書類名】明細書
【補正対象項目名】特許請求の範囲
【補正方法】変更
【補正の内容】
【特許請求の範囲】
【請求項１】 ユーザの検索目的であるフレームおよび前記フレームの検索条件である複数のスロットを格納する格納部に格納された前記スロットを、前記ユーザに問い合わせるステップと、
前記問い合わせに対するユーザの入力を受け付け、前記フレームと前記ユーザの入力とに基づいて、検索用データベースから前記フレームを検索する検索ステップとを有する対話制御方法において、
スロットスコア記憶部に記憶された前記ユーザに前記スロットを問い合わせる順番を、対話履歴記憶部に記憶された前記ユーザの利用回数が一定以上の場合、スロットスコア記憶部に記憶された前記スロットを問い合わせる順番について、前記フレームに対応する全てのスロットのうち複数以上のスロットを同じ順番に変更する変更ステップを含み、
前記問い合わせステップは、前記変更ステップで同じ順番に変更したスロットを同時に問い合わせる
対話制御方法。
【請求項２】 前記検索ステップの検索結果の数が一定数以下になるまで、前記問い合わせステップは、前記変更した順番で順次、前記スロットを前記ユーザに問い合わせる
請求項１記載の対話制御方法。
【請求項３】  前記変更ステップで変更する前の前記スロットを問い合わせる順番は、ユーザが自ら設定できることを特徴とした請求項１記載の対話制御方法。
【請求項４】  前記ユーザの入力は、音声認識を用いて入力されることを特徴とした請求項１記載の対話制御方法。
【請求項５】  前記ユーザの入力は、タッチパネルを用いて入力されることを特徴とした請求項１記載の対話制御方法。
【請求項６】  前記ユーザの入力は、キーボードを用いて入力されることを特徴とした請求項１記載の対話制御方法。
【請求項７】 ユーザの検索目的であるフレームおよび前記フレームの検索条件である複数のスロットを格納する格納部と、
対話履歴記憶部に記憶された前記ユーザの利用回数が一定以上の場合、スロットスコア記憶部に記憶された前記スロットを問い合わせる順番について、前記フレームに対応する全てのスロットのうち複数以上のスロットを同じ順番に変更する対話制御部と、
前記格納部に格納されたスロットを参照し、前記対話制御部が同じ順番に変更したスロットを同時に問い合わせる出力手段と、
前記問い合わせに対するユーザの入力を受け付ける入力手段と、
前記フレームおよび前記問い合わせに対するユーザの入力に基づいて、検索用データベースから前記フレームを検索する検索部と
を有する対話制御システム。
【請求項８】 ユーザの検索目的であるフレームおよび前記フレームの検索条件である複数のスロットを格納する格納部と、
対話履歴記憶部に記憶された前記ユーザの利用回数が一定以上の場合、スロットスコア記憶部に記憶された前記スロットを問い合わせる順番について、前記フレームに対応する全てのスロットのうち複数以上のスロットを同じ順番に変更する対話制御部と、
前記格納部に格納されたスロットを参照し、前記対話制御部が同じ順番に変更したスロットを同時に問い合わせる出力手段と、
前記問い合わせに対するユーザの入力を受け付ける入力手段と、
前記フレームおよび前記問い合わせに対するユーザの入力に基づいて、検索用データベースから前記フレームを検索する検索部と
を有する対話制御カーナビゲーションシステム。
【請求項９】 ユーザの検索目的であるフレームおよび前記フレームの検索条件である複数のスロットを格納する格納部に格納された前記スロットを、前記ユーザに問い合わせるステップと、
前記問い合わせに対するユーザの入力を受け付け、前記フレームと前記ユーザの入力とに基づいて、検索用データベースから前記フレームを検索する検索ステップとを有する対話制御方法において、
スロットスコア記憶部に記憶された前記ユーザに前記スロットを問い合わせる順番を、対話履歴記憶部に記憶された前記ユーザの利用回数が一定以上の場合、スロットスコア記憶部に記憶された前記スロットを問い合わせる順番について、前記フレームに対応する全てのスロットのうち複数以上のスロットを同じ順番に変更する変更ステップを含み、
前記問い合わせステップは、前記変更ステップで同じ順番に変更したスロットを同時に問い合わせること
をコンピュータに実行させるためのコンピュータプログラム。
【請求項１０】 ユーザの検索目的であるフレームおよび前記フレームの検索条件である複数のスロットを格納する格納部に格納された前記スロットを、前記ユーザに問い合わせるステップと、
前記問い合わせに対するユーザの入力を受け付け、前記フレームと前記ユーザの入力とに基づいて、検索用データベースから前記フレームを検索する検索ステップとを有する対話制御方法において、
前記ユーザの情報を参照して、スロットスコア記憶部に記憶された前記ユーザに前記スロットを問い合わせる順番の変更を行う変更ステップと、
前記問い合わせステップは、前記変更ステップで変更した順番でスロットを問い合わせる対話制御方法。
【手続補正２】
【補正対象書類名】明細書
【補正対象項目名】００１１
【補正方法】変更
【補正の内容】
【００１１】
【課題を解決するための手段】
上記課題を解決するために本発明は、ユーザの検索目的であるフレームおよび前記フレームの検索条件である複数のスロットを格納する格納部に格納された前記スロットを、前記ユーザに問い合わせるステップと、前記問い合わせに対するユーザの入力を受け付け、前記フレームと前記ユーザの入力とに基づいて、検索用データベースから前記フレームを検索する検索ステップとを有する対話制御方法において、スロットスコア記憶部に記憶された前記ユーザに前記スロットを問い合わせる順番を、対話履歴記憶部に記憶された前記ユーザの利用回数が一定以上の場合、スロットスコア記憶部に記憶された前記スロットを問い合わせる順番について、前記フレームに対応する全てのスロットのうち複数以上のスロットを同じ順番に変更する変更ステップを含み、前記問い合わせステップは、前記変更ステップで同じ順番に変更したスロットを同時に問い合わせる。
【手続補正３】
【補正対象書類名】明細書
【補正対象項目名】００１２
【補正方法】変更
【補正の内容】
【００１２】
【発明の実施の形態】
本発明の第１態様は、ユーザからの伝達内容またはユーザへの問いかけに対する応答を入力とする入力ステップと、問いかけの重要度に応じてユーザへの問いかけ方の変更を可能とする対話制御ステップと、前記ユーザからの伝達内容またはユーザからの応答に対して、前記変更された問いかける内容を出力する出力ステップとを有することを特徴とする対話制御方法であり、ユーザへの問いかけ内容を最適な順番や回数に変更できる作用を有する。
【手続補正４】
【補正対象書類名】明細書
【補正対象項目名】００１３
【補正方法】変更
【補正の内容】
【００１３】
本発明の第２態様は、請求項１記載の対話制御方法において、前記対話制御ステップにおけるユーザへの問いかけ方の変更は、複数ある問いかけの順番を変更することを特徴とするものであり、ユーザに適した順番で問いかけを行える作用を有する。
【手続補正５】
【補正対象書類名】明細書
【補正対象項目名】００１４
【補正方法】変更
【補正の内容】
【００１４】
本発明の第３態様は、請求項１記載の対話制御方法において、前記対話制御ステップにおけるユーザへの問いかけ方の変更は、少なくとも１つ以上の問い合わせ内容を組み合わせて問いかけることを特徴とするものであり、複数の内容を一度に問いかけることができる作用を有する。
【手続補正６】
【補正対象書類名】明細書
【補正対象項目名】００１５
【補正方法】変更
【補正の内容】
【００１５】
本発明の第４態様は、請求項１記載の対話制御方法において、前記問いかけの重要度は、対話の履歴を用いることを特徴とするものであり、ユーザの使用傾向によりユーザへの問いかけ方を変更できる作用を有する。
【手続補正７】
【補正対象書類名】明細書
【補正対象項目名】００１６
【補正方法】変更
【補正の内容】
【００１６】
本発明の第５態様は、請求項１記載の対話制御方法において、前記問いかけの重要度は、ユーザの個人情報を用いることを特徴とするものであり、ユーザの個人情報に応じた問いかけ方を行うことができる作用を有する。
【手続補正８】
【補正対象書類名】明細書
【補正対象項目名】００１７
【補正方法】変更
【補正の内容】
【００１７】
本発明の第６態様は、請求項１記載の対話制御方法において、前記問いかけの重要度は、ユーザが自ら設定できることを特徴とした請求項１記載の対話制御方法であり、ユーザが対話の進行を自ら設定できる作用を有する。本発明の第７態様は、請求項１記載の対話制御方法において、前記ユーザからの入力は、音声認識を用いて入力することを特徴としたものであり、音声を用いた入力が行える作用を有する。
【手続補正９】
【補正対象書類名】明細書
【補正対象項目名】００１８
【補正方法】変更
【補正の内容】
【００１８】
本発明の第８態様は、請求項１記載の対話制御方法において、前記ユーザからの入力は、タッチペンを用いて入力することを特徴としたものであり、タッチペンを用いた入力ができる作用を有する。
【手続補正１０】
【補正対象書類名】明細書
【補正対象項目名】００１９
【補正方法】変更
【補正の内容】
【００１９】
本発明の第９態様は、請求項１記載の対話制御方法において、前記ユーザからの入力は、キーボードを用いて入力することを特徴としたものであり、キーボードを用いた入力ができる作用を有する。
【手続補正１１】
【補正対象書類名】明細書
【補正対象項目名】００２０
【補正方法】変更
【補正の内容】
【００２０】
本発明の第１０態様は、請求項１から９のいずれかに記載の対話制御方法を用い、データベースを用いてユーザの目的の検索を行うことを特徴としたものであり、問いかけの順番および回数を変更ができる作用を有する。
【手続補正１２】
【補正対象書類名】明細書
【補正対象項目名】００２１
【補正方法】変更
【補正の内容】
【００２１】
本発明の第１１態様は、請求項１０記載の情報検索方法において、前期問いかけの重要度は、データベースの内容を用いて設定することを特徴とするもので、検索条件の問いかけの順番および回数を変更できる作用を有する。
【手続補正１３】
【補正対象書類名】明細書
【補正対象項目名】００２２
【補正方法】変更
【補正の内容】
【００２２】
本発明の第１２態様は、ユーザからの伝達内容またはユーザへの問いかけに対する応答を入力とする入力手段と、問いかけの重要度に応じてユーザへの問いかけ方の変更を可能とする対話制御手段と、前記ユーザからの伝達内容またはユーザからの応答に対して、前記変更された問いかける内容を出力する出力手段を有することを特徴とする対話制御装置であり、ユーザへの問いかけ内容を最適な順番や回数に変更できる作用を有する。
【手続補正１４】
【補正対象書類名】明細書
【補正対象項目名】００２３
【補正方法】変更
【補正の内容】
【００２３】
本発明の第１３態様は、請求項１２に記載の対話制御装置を用い、データベースを用いてユーザの目的の検索を行うことを特徴とする情報検索装置であり、検索条件の問いかけの順番および回数を変更ができる作用を有する。
【手続補正１５】
【補正対象書類名】明細書
【補正対象項目名】００２４
【補正方法】変更
【補正の内容】
【００２４】
本発明の第１４態様は、ユーザからの伝達内容またはユーザへの問いかけに対する応答を入力とする入力手段と、前記問いかけの重要度に応じてユーザへの問いかけ方の変更を可能とする対話制御手段と、データベースからユーザの応答に対して検索するデータベース検索手段と、ユーザに対して問いかける内容またはユーザからの応答に対する検索結果を出力する出力手段とを有し、データベースよりユーザの希望の目的地を検索できるカーナビゲーションシステムであり、ユーザの問いかけに対する検索結果を容易に得ることができるという作用を有する。
【手続補正１６】
【補正対象書類名】明細書
【補正対象項目名】００２５
【補正方法】変更
【補正の内容】
【００２５】
本発明の第１５態様は、プログラムされたコンピュータによって、問いかけの重要度に応じてシステムがユーザに対して問いかけるシステムの応答の順番を変更することが可能な対話制御プログラムを記録した記録媒体であって、ユーザからの伝達内容またはユーザへの問いかけに対する応答を入力とする入力ステップと、スロットスコアに応じてユーザへの問いかけ方の変更を可能とする対話制御ステップと、前記ユーザからの伝達内容またはユーザからの応答に対して、前記変更された問いかける内容を出力する出力ステップを有するプログラムを記憶したものであり、プログラムをコンピュータに読み取り実行することにより、ユーザへの問いかけ内容を最適な順番や回数に変更できる作用を有する。